(57)【特許請求の範囲】
【請求項１】
圧力保持容器であって、
ａ）フランジ部分を具備した上側縁部を有する容器、
ｂ）前記容器を密封するための蓋、
ｃ）前記蓋と前記上側縁部との間に配置された弾力的な密封手段、
ｄ）前記容器のフランジ部分を握持するための下側表面を有して、前記弾力的な密封手段を圧縮することによる前記容器との密封係合へと前記蓋を付勢する、横方向に平行移動する一対の円弧状のグリップ、
ｅ）垂直方向上側の位置に移動するように作用して容器の加圧状態を示す、前記蓋の中央に配置されたアクチュエータであり、前記アクチュエータを垂直方向下側に付勢すると、前記平行移動するグリップを、前記弾力的な密封手段を圧縮することによる前記容器との密封係合へと前記蓋を付勢する位置から横方向に変位させる、アクチュエータ、
を備える圧力保持容器。
【請求項２】
前記アクチュエータは、前記容器が加圧されないときには前記蓋の上側表面と面一となる、前記蓋の中央に配置されたボタンである、請求項１に記載の圧力保持容器。
【請求項３】
前記容器が圧力下にあるときに前記グリップを係止するように作用する係止手段を更に備える、請求項１に記載の圧力保持容器。
【請求項４】
前記係止手段は、前記円弧状の横方向に平行移動するグリップが前記弾力的な密封手段を圧縮することによる前記容器との密封係合へと前記蓋を付勢するまで開放したままとなる、第１の排気手段である、請求項３に記載の圧力保持容器。
【請求項５】
前記アクチュエータを受け入れる垂直方向経路の外側に配置された、前記蓋における排気ウェルを更に備える、請求項４に記載の圧力保持容器。
【請求項６】
前記第１の排気手段が前記排気ウェル内に配置される、請求項５に記載の圧力保持容器。
【請求項７】
前記排気ウェル内に配置された第２の排気手段を更に備える、請求項６に記載の圧力保持容器。
【請求項８】
前記第２の排気手段を起動させるように作用する排気ウェルカバーを更に備える、請求項７に記載の圧力保持容器。
【請求項９】
前記排気ウェルカバーは、水平配向から傾斜配向に切り換えることにより第１の端部が起動して第２の排気手段を開放する、請求項８に記載の圧力保持容器。
【請求項１０】
前記排気ウェルカバーは、前記第１端部の反対側の第２の端部の近傍に一つあるいは複数の排気穴を有する、請求項９に記載の圧力保持容器。
【請求項１１】
前記排気ウェル内に圧力調整ダイアフラムを更に備える、請求項５に記載の圧力保持容器。
【請求項１２】
前記圧力調整ダイアフラムの基準最大作動圧力を上回る圧力で排気するように作用する超過圧力リリーフ弁を前記排気ウェル内に更に備える、請求項１１に記載の圧力保持容器。
【発明の詳細な説明】
【技術分野】
【０００１】
本発明は、圧力調理器、より詳しくは電子レンジ用圧力調理器に関する。
【先行技術文献】
【特許文献】
【０００２】
【特許文献１】米国特許第８，２４７，７５１号明細書
【発明の概要】
【発明が解決しようとする課題】
【０００３】
従来の電子レンジ用圧力調理装置は、一部の消費者にとっては適切に用いること、すなわち蓋を適切に取り付けると共に調理の後にその内部に残っている何らかの加圧蒸気を排気して蓋を取り除くことが困難であり得る。
【０００４】
従って、本発明の目的は、例えばプラスチック、ゴム／エラストマといった誘電材料からその全体が形成されている電子レンジ用圧力調理器を提供することにある。
【０００５】
本発明の他の目的は、蓋による密封及び排気がより容易な電子レンジ用圧力調理器を提供することにある。
【０００６】
本発明の他の目的は、加圧されていることが直ちに明らかであると共に圧力を安全に排気することが容易である電子レンジ用圧力調理器を提供することにある。
【０００７】
本発明の他の目的は、蓋に係合する安全手段によって加圧されているときに開放することができない電子レンジ用圧力調理器を提供することにある。
【０００８】
本発明の他の目的は、安全手段を係合させることができない限り加圧することができない、電子レンジ用圧力調理器を提供することにある。
【課題を解決するための手段】
【０００９】
本発明において、第１の目的は、圧力保持容器であって、フランジ部分を具備した上側縁部を有する容器と、容器を密封するための蓋と、蓋と上側縁部との間に配置された弾力的な密封手段と、容器のフランジ部分を握持するための下側表面を有して、弾力的な密封手段を圧縮することによる容器との密封係合へと蓋を付勢する、横方向に平行移動する一対の円弧状のグリップと、上側の垂直方向位置に移動するように作用して容器の加圧状態を示す、蓋の中央に配置されたアクチュエータであり、アクチュエータを垂直方向下側に付勢すると、平行移動するグリップを、弾力的な密封手段を圧縮することによる容器との密封係合へと蓋を付勢する位置から横方向に変位させる、アクチュエータと、を備えることを特徴とする圧力保持容器を提供することによって達成される。
【００１０】
本発明の第２の態様は、上側の縁部を有する容器と、縁部において容器を密封すると共に、容器の内部と蓋の下側表面との間の内部容積を定める蓋であり、その蓋が、中央アクチュエータを収容する中央開口と第２のアクチュエータを収容する周縁開口とを有し、前記周縁開口が前記中央部開口の外側にある、上側部分と、ガスケットと係合する環状下部フランジを有する下側部分であり、上側部分と下側部分との間に開放空洞が形成される下側部分と、蓋の下側部分に一つあるいは複数の貫通部を有する垂直壁により定められて周縁開口を接続する経路と、経路の内部における底蓋の一つあるいは複数の貫通部を密封する第１の弁と、を有し、第２のアクチュエータは、第１の弁を開放するように作用して容器の内部容積と外部との間の圧力を等しくする、蓋と、によって特徴付けられる。
【００１１】
本発明の他の態様は、アクチュエータが、容器が加圧されないときに蓋の上側表面と面一となる、蓋の中央に配置されたボタンである圧力保持容器によって特徴付けられる。
【００１２】
本発明の他の態様は、容器が圧力下にあるときにグリップを係止するように作用する係止手段を更に備える圧力保持容器によって特徴付けられる。
【００１３】
本発明の他の態様は、係止手段が、円弧状の横方向に平行移動するグリップが弾力的な密封手段を圧縮することによる容器との密封係合へと蓋を付勢するまで開放したままとなる、第１の排気手段であることを特徴とする。
【００１４】
本発明の他の態様は、チャンバが、アクチュエータを受け入れる垂直方向経路の外側に配置された、蓋における排気ウェルを更に備えることを特徴とする。
【００１５】
本発明の他の態様は、第１の排気手段が前記排気ウェル内に配置されることを特徴とする。
【００１６】
本発明の他の態様は、チャンバが、排気ウェル内に配置された第２の排気手段を更に備えることを特徴とする。
【００１７】
本発明の他の態様は、チャンバが、第２の排気手段をアクチュエータに起動させるように作用する排気ウェルカバーを更に備えることを特徴とする。
【００１８】
本発明の他の態様は、排気ウェルカバーが、水平配向から傾斜配向に切り換えることにより第１の端部が起動して第２の排気手段を開放することを特徴とする。
【００１９】
本発明の他の態様は、排気ウェルカバーが、第１端部の反対側の第２の端部の近傍に一つあるいは複数の排気穴を有することを特徴とする。
【００２０】
本発明の他の態様は、チャンバが、排気ウェル内に圧力調整ダイアフラムを更に備えることを特徴とする。
【００２１】
本発明の他の態様は、圧力調整ダイアフラムの基準最大作動圧力を上回る圧力で排気するように作用する超過圧力リリーフ弁を前記排気ウェル内に更に備えることを特徴とする。
【００２２】
本発明の他の態様は、第２のアクチュエータが周縁開口のカバーであることを特徴とする。
【００２３】
本発明の他の態様は、チャンバが、経路内における底蓋の貫通部を密封する第１圧力調整器を更に備えることを特徴とする。
【００２４】
本発明の他の態様は、チャンバが、経路内における底蓋の貫通部を密封する過圧弁を更に備え、圧力調整器は第１の圧力レベルに圧力を調整するように作用し、過圧弁は、第１の圧力値を上回る第２の圧力レベルにおいて開放して容器の内部容積と外部との間の圧力を等しくするように作用することを特徴とする。
【００２５】
本発明の他の態様は、チャンバが、経路の第２の値の内部容積を定める周縁開口のカバーを更に備え、かつ容器の内部容積が第１の容積を有し、第１の値は第２の値の０．１％より大きいことを特徴とする。
【００２６】
本発明の他の態様は、チャンバが、経路の第２の値の内部容積を定める周縁開口のカバーを更に備え、容器の内部容積が第１の容積を有し、第１の値は第２の値の．２％より大きいことを特徴とする。
【００２７】
本発明の他の態様は、チャンバが、経路の第２の値の内部容積を定める周縁開口のカバーを更に備え、容器の内部容積が第１の容積を有し、第１の値は第２の値の．５％より大きいことを特徴とする。
【００２８】
本発明の他の態様は、上側の垂直方向位置に移動するように作用して容器の加圧状態を示す、蓋の中央に配置された中央アクチュエータであり、アクチュエータを垂直方向下側に付勢すると、容器の縁部から持ち上げる蓋を横方向に変位させる、アクチュエータを特徴とする。
【図面の簡単な説明】
【００２９】
本発明の上記した及び他の目的、効果、特徴及び利点は、添付の図面と共になされる実施形態の以下の説明からより明らかになる。
【００３０】
【図１】第１実施形態の電子レンジ用圧力調理装置の斜視図である。
【図２】図１に示す電子レンジ用圧力調理装置の上面図である。
【図３】蓋のグリップが開放位置にある、図１に示す電子レンジ用圧力調理装置の上面図である。
【図４】図４Ａは図１に示す電子レンジ用圧力調理装置の側面立面図であり、図４Ｂはその正面立面図である。
【図５】図１に示す電子レンジ用圧力調理装置の底面図である。
【図６】図１に示す電子レンジ用圧力調理器装置の分解斜視図である。
【図７】図１に示す電子レンジ用圧力調理装置の、図２の切断線Ａ―Ａにおける断面図である。
【図８】図８Ａは底蓋と排気ウェルカバーの下側に配置された排気要素の部分上面斜視図であり、図８Ｂは排気ウェルカバーの上面図であり、図８Ｃはその断面立面図である。
【図９】中央アクチュエータの他の位置を図示する、電子レンジ圧力調理器装置の他の実施形態の断面立面図である。
【図１０】図１０Ａ〜１０Ｃは使用の間にガスケット２６０によって変化する２４０の３つの位置を図示する断面立面図であり、図１０Ａは容器が加圧されているときの中央アクチュエータ位置を示し、図１０Ｂは加圧されていない状態を示し、図１０Ｃは縁部に係合している側方グリップを開放すべく押し下げられた２４０を図示している。
【図１１】図１１Ａは、底蓋に配置された排気要素の上蓋を取り除いた状態での他の部分底斜視図であり、かつ図１１Ｂは感圧ストッパの斜視図である。
【図１２】図１２Ａは、平行移動グリップ部材と平行移動グリップ部材の両方を接続するロッカー部材との上方からの全体斜視図であり、図１２Ｂ及び図１２Ｃは、それぞれロッカー部材の上面図及び側面立面図である。
【図１３】本発明の代わりの実施形態における蓋の部分分解斜視図である。
【図１４】図１４Ａは図１３の実施形態における蓋の断面立面図、図１４Ｂは図１４Ａの丸で囲んだ部分の直交拡大断面立面図、図１４Ｃは図１４Ｂの切断線Ｃ−Ｃにおける平面断面図であり、切断線Ａ−Ａは図１４Ａの断面図の向きを示している。
【発明を実施するための形態】
【００３１】
図１乃至図１４を参照すると、類似の参照符号は異なる図面における類似の要素を指しているが、全体的に１０００で示される新規かつ改良された電子レンジ用圧力調理器が描かれている。
【００３２】
本発明の電子レンジ用圧力調理装置１０００が備える容器１００は、中間環状ガスケット１５０を介して容器１００の縁部１１０に密封係合する蓋組み立て２００で覆われている。
【００３３】
この蓋組み立て２００は、基本的に、複数のインターロックピンとピン受容スタンドオフによって底蓋２２０に接続された上蓋２１０から形成されるシェルであるが、選択的に、止め金と、プラスチック製のネジ及びプッシュタイプのネジを含むプッシュまたはネジ部材とを配置することができる。底蓋２２０は、好ましくは、環状の縁部密封ガスケット１５０を下側表面上に受け入れる。グリップ２３０及び２３０’は円弧状であって、容器の縁部１１０の下方に比較的長い係合表面２３１を呈している。容器１００はまた、好ましくは、縁部１１０の下方で側方に延びる一体化された取手１１２を配置する。
【００３４】
底蓋２２０は、好ましくは、ウェル２２１の底部に形成された異なる開口を覆う、好ましくは排気ウェル２２１に形成される複数の圧力解放手段を有する。排気ウェル２２１は、好ましくは腎臓形状であって、中央アクチュエータ２４０の周辺領域の内部容積を増加させている。排気ウェルは、底蓋２２０の上側部分から上蓋２１０に至る垂直壁２２１１によって定められる経路である。排気ウェル２２１の内部の圧力解放手段は、好ましくは、排気ウェルカバー２１２によって起動される。排気ウェルカバー２１２は、上蓋２１０の上側表面に形成された開口２１１を塞いでいる。
【００３５】
図１〜図１４の実施形態において、容器１００は、横方向に平行移動する一対の係止取手あるいはグリップ２３０及び２３０’によって調理のために密封されるが、それらは顎状あるいは円弧状であって縁部に延在するフランジ１１５の下側に係合する下側縁部２３１を有している。平行移動するグリップ２３０は、蓋２００上の中央アクチュエータボタン２４０に接続されている。排気ウェル２２１及び排気ウェルカバー２１２は、中央アクチュエータボタン２４０の外側に配置されている。電子レンジ用圧力調理器が蓋２００により覆われて使用の準備ができると、グリップ２３０及び２３０’は内側に一杯に平行移動される。図１２に示すように、各グリップ２３０は、平坦なフランジ状頂部と、グリップ２３０の頂部の開口２３０１に進入して底蓋２２０に取り付けることができる円柱状底部とを具備する、保持器１２０１により、底蓋２２０上でスライドするように固定されている。その取り付けは、底蓋２２０に対するネジ、締まり嵌め、あるいは溶着による接続、その他とすることができる。
【００３６】
平行移動する一対のグリップ２３０は、上蓋２１０の内側中央部開口２１４内で上方に延びる中央アクチュエータボタン２４０に接続されている。従って、調理の後、ユーザは、中央アクチュエータボタン２４０を押し下げて平行移動グリップ２３０を互いに外側へと付勢することができる。中央アクチュエータボタン２４０と平行移動グリップ２３０及び２３０’との間を連結する手段は、調理の後に内圧が低下するまで調理器具１０００の開放と蓋２００の取り外しとを妨げる、一つあるいは複数の感圧係止手段によって制御される。係止手段は、平行移動するグリップ２３０及び２３０が内側に一杯に移動するときにだけその一部に係合する。係止手段は、グリップ２３０及び２３０’と適切に係合しない場合、容器の加圧をも妨げる。同様に、容器１００が一旦加圧されると、グリップ２３０及び２３０’は、容器１００の圧力が排気されるまで離間させることができない。
【００３７】
料理の後、減圧は、蒸気の単純な冷却と凝縮による水の形成により、ゆっくりと生じる。中央ボタン２４０は、意図する電子レンジでの使用の場合、好ましくは弾力的なゴムあるいはエラストマ製の蛇腹２６０であるスプリング部材により、容器の内部に連結される。図１０Ａに示すように、容器１００が加圧されるときに、中央ボタン２４０は蓋２００の隣接部分２０１の上方に上昇する。容器１００が加圧されないとき（図１０Ｂ）、蛇腹２６０が圧縮されて中央で下方に延びる内筒２４５を上方に付勢することがないので、中央ボタン２４０は、蓋２００の隣接部分２０１と好ましくは面一となることができない。このことは、平行移動グリップ２３０及び２３０が互いに外側に離れて移動して、蓋２００を容器から持ち上げ得ることを示している（図１０Ｃ）。このことは、中央ボタン２４０を押し下げることによって達成され、それは蛇腹２６０を平衡形状から伸長させる。
【００３８】
容器１００は、選択的に、弁アクチュエータとしての排気ウェルカバー２１２を用いることで排気される。次いで、中央アクチュエータ２４０を蓋２０１の隣接部分の下方に押し下げ、グリップ２３０を反対方向に移動させて蓋を解放する。エラストマ製の蛇腹２６０は、中央で下方に延びる内筒２４５を上方に付勢することによって、そのような動きに抵抗する。
【００３９】
電子レンジ調理の間の加圧のために容器１００を密封すべく、底蓋２２０の少なくとも一部とグリップ２３０の下側との間のくさび干渉嵌め合いは、底蓋上の内側環状フランジ２２６を縁部１１０あるいは縁部で延びるフランジの少なくとも一部に対して押圧し、これらの表面の間に配置されていてその全体が参照符号１５０で示されている何らかの弾力シール部材あるいはガスケットを圧縮する。代わりに、容器１００は、平行移動グリップ２３０のくさびあるいは傾斜形状部分下側縁部２３１が係合する、水平な下側フランジを有することができる。横方向に平行移動するグリップ２３０は、下側縁部２３１において全体的に円弧状であるが（図１４）、Ｕ字形の直交断面（図７及び図９）は、底蓋２２０と上蓋２１０との間に形成された隙間の内側でスライドする、より広い上側シェル状部分を呈する。グリップ２３０の代わりのあるいは開放位置は、図３及び図９の左側に想像線で示されている。ここで留意されるべきことは、好ましい実施形態において、容器１００は、容器１００の垂直な中心軸線回りにおける蓋２００の何らかの回転で密封できることである。
【００４０】
図６、図８及び図１１に示すように、横方向に平行移動するグリップ２３０のうちの一つと係合する係止手段の一実施形態は、感圧ストッパ２２１５である。横方向に平行移動するグリップ２３０及び２３０’のうちの少なくとも一つ、しかしながら好ましくはその両方が、排気ウェル２２１内の感圧ストッパ２２１５と係合すべく作用する前方作動部材２３９を有する。
【００４１】
前方作動アーム２３９は、グリップ２３０の内側延長部分であって、感圧ストッパ２２１５を受け入れる開口を有している。感圧ストッパ２２１５は、底蓋２２０の孔の内側で上昇して、前方作動アーム２３９の開口２３９ａに入るように構成されている。ストッパ２２１５は、下蓋２２０の下方に平坦な下部フランジ２２１５ｆを有していて、周囲の環状ガスケットを付勢しつつ下蓋の下面に密封し、容器を蒸気で加圧するようになっている。ストッパはまた、好ましくは、例えばフランジ２２１５ｆの上方の溝付き側部といった、底蓋の十字形の垂直開口に嵌合する円形でない断面を有する。円形でない穴は容器１００内の圧力の下で案内される浮き上がりをもたらし、溝付き部分の環状縁部２２１５ｒは容器１００が加圧される場合にストッパが垂直開口を介して落下することを妨げ、ストッパ２２１５は上側位置において前方作動部材２３９の開口２３９ａに進入してグリップ２３０及び２３０’の外向きの動きを妨げ、従って容器の圧力が排気されるまで蓋２００の取り外しを妨げる。しかしながら、グリップ２３０が十分に挿入されていない場合、ストッパ２２１５は前方作動部材２３０の下部に衝突してその開口に進入せず、下蓋２２０の開口あるいは孔は開放したままとなる。従って、グリップ２３０及び２３０’が圧力下での係止が生じる位置とならない限り、容器１００は加圧することができない。
【００４２】
調理が完了した後、冷却し、あるいは排気手段が手動で開放されたときに、ストッパ２２１５は降下して、前方作動部材２３９とグリップ２３０及び２３０’が反対方向に、すなわち外側に平行移動できるようにし、蓋２００を取り除くことができるようにする。そのような好ましい実施形態は、排気ウェル２２１内の排気手段あるいはスリットダイアフラム２２７を開放するトグルスイッチとしての排気ウェルカバー２１２を配置している。排気ウェルカバー２１２の下側表面は下方に延びるプレート２１２１を有しており、そのプレート２１２１は、そうでない場合には圧力下で密封するダイアフラム２２７を変形させて開放させ、さもなければそれを変位させて開口を開放させることができる。排気ウェル２２１はまた、少なくとも一つの圧力調整ダイアフラム２２８を収容している。排気ウェルカバー２１２の表面は、下方に降下するプレート２１２１の上方部分から遠位側にスリットや穴、その他といった貫通部２１３１を有していて、排気ウェル２２１の内部の圧力を低下させる最初の拡散の後においてのみ、蒸気がユーザの手から離れて排気されるようにしている。排気ウェルカバー２１３２の下側表面上の（図８において上方を指すように示されている）トグル支持部２１３２は、上蓋２１０の排気ウェル開口２１１の周辺の内側縁部のちょうど下方から横方向内側に延びる円柱状の柱に係合する切欠きを有している。トグル支持部２１３２は、排気穴と下方に延びるプレート２１２１との間に配置されている。ここで理解されるべきことは、トグル支持体と内側の円柱の位置は反対にできることである。切欠きは、排気ウェルの領域及びカバーにアクセスして掃除するための取り外しを容易にするスナップフィットをもたらす。排気ウェルの容積は、蒸気を膨張させて、排気ウェルカバー２１２の貫通部２１３１を出る前に温度及び速度を低下させるべく、好ましくは容器の容積の少なくとも０．１％である。排気ウェルの容積は、より好ましくは容器の容積の少なくとも０．２％であり、最も好ましくは少なくとも０．３％である。ここで理解されるべきことは、容積の好適な範囲は、排気ウェルカバーの貫通部２１３１の寸法、形状、配置及び数によって変動し得ることである。
【００４３】
圧力調整ダイアフラム２２８の底部はスクリーン２１６によって覆われて、食品の細片が目詰まりを形成することを防止している。スクリーン２１６は、選択的に、食品の細片による目詰まりを防止すべく、排気のために用いる下蓋のあらゆる開口をカバーすることができる。スクリーンは、好ましくは、容器の側から排気ウェルの下部にスナップ留めされる着脱可能なプレートである。
【００４４】
排気ウェル２２１内に設けられる排気及び／又は圧力解放／制御手段は、例えば２０１２年８月２１日に発行された特許文献１に開示されているような、スリットに依存するゴムガスケットを予想している。なお、その特許はこの参照によって本願明細書に組み込まれるものとする。圧力調整ダイアフラム２２８は、好ましくは、中央に環状の外側凹部を有する、あるいは排気ウェルの開口の縁部を受け入れるガスケットである。そのようなガスケットは、好ましくは弾力的なゴムあるいは弾力性のものであり、環状部分の内側に、少なくとも部分的にスリットである少なくとも一つのシール面を有している。部分的なスリットは、ゴムの弾性によって自ら閉じるが、圧力が閾値に達したときに開放し、圧力が低下してゴム部材の弾力的な復原力によってスリットが閉じるまで蒸気を排気する。スリットダイアフラム２２７は、圧力調整ダイアフラム２２８が目詰まりした場合に、完全に押し出されるように構成することができる。スリットダイアフラム２２７に加えて、好ましくは、第１の圧力調整器２２８が機能せずあるいは詰まった場合に、類似の構造の第２の圧力調整ダイアフラムがあることが好ましい。この第２の圧力調整ダイアフラムは、類似の構造を有することができるが、より小さい孔開口に設定し、及び／又は、より厚いゴムをスリットに配置して、圧力調整ダイアフラム２２８より高い圧力で開放するようにする。ガスケットタイプ弁あるいは圧力調整器のいずれも、（排気ウェルの底部において孔あるいは貫通部の縁部に係合する）中央環状凹部の上方に薄いあるいは厚い壁を形成することもできる。そして、過剰な気圧は、ガスケットのスリットが開放しない場合に、より薄い壁を変形させて開口の縁部からガスケットを分離させる。従って好ましい実施形態においては、第１の圧力調整をもたらす第１のガスケットのスリットが意図する調理圧力である第１の圧力で開放し、第２のガスケットのスリットが第１の圧力より高い第２の圧力で開放し、かつ第２のガスケットは、第２の圧力より高い第３の圧力において、それが閉じている開口から押し出される。
【００４５】
排気ウェル２２１はまた、好ましくは、容器が圧力下にあるときにグリップの動きを拘束する少なくとも一つの係止手段を含む。全般的に矩形のリングガスケット２２１６は、排気ウェルの壁２２１１に形成されている他の開口をカバーして、図４及び図１１に示されている近位側のグリップ２３０により横方向に平行移動される係止アーム２３９の、密封状態での通過を可能とする。
【００４６】
前方作動部材２３９は、排気弁を開閉し、あるいはグリップの後方への動きを拘束する手段をもたらして容器の中身を加圧するときの排気を防止することができる。
【００４７】
図９の左側は、中央アクチュエータ２４０’が下方位置に係止されて蓋２２０の取り外しを可能とする開き位置にあるグリップ２３０’を示しているのに対し、右側は、底蓋２２０が環状ガスケット１５０を圧縮するロック位置にあるグリップ２３０を示している。
【００４８】
本発明の好ましい実施形態において、ゴム製の密封蛇腹から形成されるスプリング部材２６０は、底蓋カバー２２０の中央開口２２８を覆って密封し、従って中央で下方に延びる内筒２４５において、中央アクチュエータボタン２４０の下方への平行移動に抵抗する。
【００４９】
中央アクチュエータ２４０は、内向きに配向された水平ピン２４２を具備した４本の下側アーム２４１を有している。アクチュエータ２４０の各側のピン２４３は、グリップ２３０の内側アーム２３４上の傾斜フランジ２３２（図１２Ａ）に係合する。従って、中央アクチュエータ２４０の下方への上下動きは、ピン２３４が傾斜フランジ２３３に係合し、グリップ２３０及び２３０’を押して横方向に離間させるようにする。中央アクチュエータ２４０の４本のアーム２４１はまた、上向きに配向されたた円筒２４７に終端しており、それはグリップ２３０及び２３０’の傾斜部分２３２の背後の対応する開口２４９においてグリップ２３０に係合する。従って、開口２４９内における上向き円筒２４７の位置決めは、中央アクチュエータ２４０が蛇腹２６０により上向きに付勢されるときに、水平ピン２４２と傾斜フランジ２３３の表面との接触を維持する。
【００５０】
電子オーブンでの使用のために全体がプラスチック構造の場合、アーム２４１、円筒及びピンのＵ字形の部分は追加の剛性をもたらして、上記した構成要素の協働した動きを妨げるプラスチックのたわみあるいは変形を防止する。
【００５１】
図１３に示すように、グリップの外側アーム２３５には好ましくは部分的にスリットが設けられて可撓アーム２３５１として作用する内側部分をもたらし、底蓋２２０の環状面の上に形成された対応突起に係合する扁桃を介してラッチ係合をもたらしている。
【００５２】
両方のグリップ２３０及び２３０’は、同調して動くことが好ましい。このことは、グリップ２３０及び２３０’のそれぞれ対向する側にあり、アクチュエータウェル２４８に形成された開口を介して前方に延びる部分２３７において、二つの内側アーム２３４を連結することにより達成される。前方アーム２３７の各端部は、ロッカーアーム２７０の両端の孔２７６のうちの一つに受け入れられるピン２３８を有しており、従って、グリップ２３０及び２３０’の両方がグリップ２３０及び２３０’上のグリップピン２３８を介して接続されている。ロッカーアーム２７０が有する中央開口２７２は、アクチュエータ２４０の下側表面の中心において下方に降下する円筒２４５に係合する。降下するピンあるいは円筒２４５は弾力性の蛇腹２６０によって上方に付勢され、中央アクチュエータボタン２４０は、図１０Ａ及び図１０Ｂに示すように上方に向かう。
【００５３】
代わりの実施形態において、グリップアーム２３０及び２３０’の連結された動きは、排気リリーフ部材を付勢して密封させることができる。対照的に、後方への動きは排気リリーフ部材を開放位置に付勢する。一つの代わりの実施形態において、前方作動部材２３９は、排気ウェル２２１の経路の垂直壁２２２１の孔を密封するピンにおいて終端する。この孔は、排気ウェル２２１の経路あるいは他の経路を介した、底蓋２２０の開口への直接的なあるいは間接的な経路をもたらす。
【００５４】
図１３〜図１４はより好ましい実施形態を図示しており、第２の係止手段は、容器１００が加圧されているときにグリップ２３０’の外向きの動きを防止すべく作用する。グリップ２３０’は、ストッパピン２２１５によって直接には拘束されていない。第２の係止手段は、接続されているロッキングピン蛇腹１３１７により圧力下において上方に付勢される係止ピン１３１５である。ロッキングピン蛇腹１３１７は、底蓋２２０の下側からロックピン１３１５の下部１３１５ｂを固定している。前方に延びるアーム２３９は、底蓋２２０から上方に延びている経路１３１６から上方に立ち上がるピン１３１５の頂部１３１５ａに係合する開口を有している。経路１３１６は、図１４Ｂに示すように、ピン１３１５の底部１３１５ｂに接続された蛇腹１３３７によって閉鎖されている。容器１００が加圧される場合、ピン１３１５は上方位置（図１４Ｂにおける破線）にあり、ラッチ２３９を固定すると共にグリップ２３０及び２３０’の外向きの動きを防止して、蓋２００の取り外しを妨げる。経路１３１６の上側部分は、ピン１３１５の頂部において横方向に延びるフィン１３１８を受け入れる溝１３１９を有している。横方向に延びるフィン１３１８は経路の溝１３１９に係合し、蛇腹１３１７の圧縮及び膨張に応答して垂直方向に移動するときにピン１３１５を案内する。ピン１３１５の底部は、蛇腹１３１７の内孔から延びるフランジの嵌合を受け入れる外周環状凹部を有している。
【００５５】
ここで理解されるべきことは、装置の全体を非導電性のプラスチック及びゴムから形成できるので、この装置が、電子レンジにおいて食品及び水を加熱することについて十分な適合性を有していることである。下蓋及び容器の壁あるいは底部が剛性を増すためのリブを有する範囲において、壁の厚みを減らすことができる。好ましくは、下蓋の一つの表面が半径方向リブを有し、かつ容器の底部が、底部上の持ち上げられた円形である少なくとも一つの半径方向及び接線方向のリブを有する。図５に示すように、好ましくは容器の取手１１２の下側もリブを有する。
【００５６】
中央ボタン２４０は、容器１００が圧力下にあり、従って蓋２００を取り外そうと試みる前に排気しなければならないという、ユーザにとって便利な通知をもたらす。容器１００は、排気ウェルカバー２１２の一方の側に押すことにより便利にかつ安全に排気される。その後、グリップ２３０及び２３０’を広げるために中央ボタン２４０が再び押され、蓋２００を取り外すことができる。
【００５７】
好ましい実施形態に関連して本発明を説明してきたが、説明した特定の形態に本発明の範囲を限定することは意図されておらず、それとは対照的に、添付の請求の範囲によって定まる本発明の精神及び範囲内にあり得るそのような代替例、変形例、均等物をカバーすることが意図されている。
【符号の説明】
【００５８】
１００  容器
１１０  縁部
１１２  取手
１１５  フランジ
１５０  環状ガスケット
２００  蓋組み立て
２１０  上蓋
２１１  排気ウェル開口
２１２  排気ウェルカバー
２２０  底蓋
２２１  排気ウェル
２３０  グリップ
２３０’グリップ
２４０  中央アクチュエータボタン
【図１】
0006517224.tif 000002
【図２】
0006517224.tif 000003
【図３】
0006517224.tif 000004
【図４】
0006517224.tif 000005
【図５】
0006517224.tif 000006
【図６】
0006517224.tif 000007
【図７】
0006517224.tif 000008
【図８】
0006517224.tif 000009
【図９】
0006517224.tif 000010
【図１０】
0006517224.tif 000011
【図１１】
0006517224.tif 000012
【図１２】
0006517224.tif 000013
【図１３】
0006517224.tif 000014
【図１４】
0006517224.tif 000015